(57)【要約】      （修正有）【課題】モバイル機器を通信装置にかざすときに誤操作が生じることを防止する画像形成装置を提供する。【解決手段】画像形成装置１は、記録媒体に画像を形成する画像形成部と、モバイル機器と近距離無線通信で通信可能な第一の通信装置２１と、ユーザ認証を行うために近距離無線通信によってＩＣカード３３から情報を取得する第二の通信装置３１と、ユーザからの入力操作を受け付ける操作部１１と、第一の通信装置から近距離無線通信により情報を受け取るためにモバイル機器を近づける際のターゲット表示である第一のターゲット表示部２２と、第二の通信装置と近距離無線通信により情報を受け取るためにＩＣカードが近づけられる第二のターゲット表示部３２と、を備える。第二のターゲット表示部は、操作部に隣接して配置され、第一のターゲット表示部は、第二のターゲット表示部と異なる位置であって、画像形成装置の側面に設けられている。【選択図】図２
2018170726.tif 000002
【特許請求の範囲】
【請求項１】
記録媒体に画像を形成する画像形成部と、
近距離無線通信によってモバイル機器と無線通信を行う第一の通信装置と、
ユーザ認証を行うために、近距離無線通信によってＩＣカードから情報を取得する第二の通信装置と、
ユーザからの入力操作を受け付ける操作部と、
前記第一の通信装置から前記近距離無線通信により情報を受け取るために前記モバイル機器を近づける際のターゲット表示である第一のターゲット表示部と、
前記第二の通信装置と前記近距離無線通信により情報を受け取るために前記ＩＣカードが近づけられる第二のターゲット表示部と、
を備える画像形成装置であって、
前記第二のターゲット表示部は、前記操作部に隣接して配置され、
前記第一のターゲット表示部は、前記第二のターゲット表示部と異なる位置であって、前記画像形成装置の側面に設けられていることを特徴とする画像形成装置。
【請求項２】
前記第一の通信装置と前記近距離無線通信で接続されるために前記第一のターゲット表示部へ前記モバイル機器が近づけられる方向は、前記第二の通信装置と前記近距離無線通信で接続されるために前記第二のターゲット表示部へ前記ＩＣカードが近づけられる方向と異なることを特徴とする請求項１に記載の画像形成装置。
【請求項３】
前記操作部は、ユーザからの入力操作に反応するタッチパネルを備え、
前記第二のターゲット表示部は、前記タッチパネルに並んで配置されていることを特徴とする請求項１又は２に記載の画像形成装置。
【請求項４】
前記画像形成部の上方に設けられた排出トレイと、
前記画像形成部から前記排出トレイへ搬送される前記記録媒体が通過する縦パス部と、
前記縦パス部の少なくとも一部を覆う縦パス部カバーと、
を備え、
前記第一のターゲット表示部は、前記縦パス部カバーの外観面に設けられていることを特徴とする請求項１乃至３のいずれか一項に記載の画像形成装置。
【請求項５】
前記タッチパネルに向かって前記画像形成装置の右側面の手前側と左側面の手前側の少なくとも一方に、前記第一のターゲット表示部が設けられていることを特徴とする請求項３に記載の画像形成装置。
【請求項６】
前記モバイル機器は、無線通信規格ＩＥＥＥ８０２．１１または無線通信規格ＩＥＥＥ８０２．１５．１に準拠した携帯電話、スマートフォン、タブレット端末、タブレットパーソナルコンピュータ、カメラ、ビデオカメラまたはノート型パーソナルコンピュータであり、
前記ＩＣカードは、国際規格ＩＳＯ／ＩＥＣ１８０９２または国際規格ＩＳＯ／ＩＥＣ２１４８１に準拠していることを特徴とする請求項１乃至５のいずれか一項に記載の画像形成装置。
【請求項７】
前記ＩＣカードは、上から下へ向けて前記第二のターゲット表示部へ近づけられることにより、前記第二の通信装置と前記近距離無線通信で接続されることを特徴とする請求項１乃至６のいずれか一項に記載の画像形成装置。
【発明の詳細な説明】
【技術分野】
【０００１】
本発明は、近距離無線通信によってモバイル機器と無線通信を行う通信装置を有する画像形成装置に関する。
【背景技術】
【０００２】
従来、記録媒体に画像を形成する画像形成装置として、電子写真画像形成装置およびインクジェットプリンタがある。画像形成装置は、原稿の画像を読み取る画像読取装置および／またはファクシミリ装置と組み合わせられて複合機を構成する。近年、複合機には、被認証装置と近距離無線通信（Ｎｅａｒ ＦＩＥＬＤ Ｃｏｍｍｕｎｉｃａｔｉｏｎ、以下、ＮＦＣという）で接続される認証装置が設けられている。被認証装置は、ＮＦＣ対応ＩＣカードおよびＮＦＣ対応モバイル機器を含む。ＮＦＣ対応モバイル機器は、ＮＦＣ対応携帯電話、スマートフォン、タブレット端末、タブレットＰＣ、ＮＦＣ対応カメラ、ＮＦＣ対応ビデオカメラおよびＮＦＣ対応ノートパソコンを含む。認証装置は、ＮＦＣで接続された被認証装置からデータを読み取ることができる。また、ＮＦＣ対応モバイル機器は、ＮＦＣで接続された認証装置を介して複合機を操作することができる。認証装置（ターゲット）は、アクセス性の観点および被認証装置からの入力情報の認識し易さの観点から、操作部の表示入力部としてのタッチパネルの近傍に設けられる。特許文献１は、タッチパネルの直ぐ手前に設けられた認証装置を開示している。
【先行技術文献】
【特許文献】
【０００３】
【特許文献１】特開２０１５−１７９３１１号公報
【発明の概要】
【発明が解決しようとする課題】
【０００４】
従来、抵抗膜式（感圧式）タッチパネルが主流であったが、近年は、静電容量式タッチパネルが主流になりつつある。静電容量式タッチパネルは、抵抗膜式タッチパネルより軽いタッチで操作される。被認証装置を静電容量式タッチパネルの近傍に設けられた認証装置にかざすとき、被認証装置が静電容量式タッチパネルに接触したり、被認証装置を保持する指が静電容量式タッチパネルに接触したり、近接したりすることがある。そのとき、静電容量式タッチパネルにおいて本来入力すべき項目が表示された入力エリアが選択されずに、意図しない入力エリアが選択されることがある。これにより、画像形成装置の誤動作が生じることがある。
【０００５】
そこで、本発明は、モバイル機器を通信装置にかざすときに誤操作が生じることを防止する画像形成装置を提供する。
【課題を解決するための手段】
【０００６】
本発明の一実施例による画像形成装置は、
記録媒体に画像を形成する画像形成部と、
近距離無線通信によってモバイル機器と無線通信を行う第一の通信装置と、
ユーザ認証を行うために、近距離無線通信によってＩＣカードから情報を取得する第二の通信装置と、
ユーザからの入力操作を受け付ける操作部と、
前記第一の通信装置から前記近距離無線通信により情報を受け取るために前記モバイル機器を近づける際のターゲット表示である第一のターゲット表示部と、
前記第二の通信装置と前記近距離無線通信により情報を受け取るために前記ＩＣカードが近づけられる第二のターゲット表示部と、
を備える画像形成装置であって、
前記第二のターゲット表示部は、前記操作部に隣接して配置され、
前記第一のターゲット表示部は、前記第二のターゲット表示部と異なる位置であって、前記画像形成装置の側面に設けられていることを特徴とする。
【発明の効果】
【０００７】
本発明によれば、モバイル機器を通信装置にかざすときに誤操作が生じることを防止することができる。
【図面の簡単な説明】
【０００８】
【図１】実施例１の画像形成装置の断面図。
【図２】実施例１の画像形成装置の斜視図。
【図３】実施例１の画像形成装置の正面図。
【図４】実施例２の画像形成装置の右側面図。
【図５】実施例３の画像形成装置の左側面図。
【発明を実施するための形態】
【０００９】
以下、添付図面を参照して、本発明を実施するための形態を説明する。図１から図５に示すＸＹＺ座標系は、画像形成装置１，４１、５１に関する方向を示す。Ｘ軸は、画像形成装置１、４１、５１の幅方向を示し、矢印方向が右方向、矢印逆方向が左方向である。Ｙ軸は、画像形成装置１、４１、５１の奥行き方向を示し、矢印方向が奥方向、矢印逆方向が手前方向である。Ｚ軸は、画像形成装置１、４１、５１の高さ方向を示し、矢印方向が上方向、矢印逆方向が下方向である。○記号は、Ｘ軸、Ｙ軸またはＺ軸の矢印先端を表す。○内×記号は、Ｘ軸、Ｙ軸またはＺ軸の矢印後端を表す。
【実施例１】
【００１０】
（画像形成装置）
図１は、実施例１の画像形成装置１の断面図である。図２は、実施例１の画像形成装置１の斜視図である。図１に示すように、画像形成装置１は、中間転写ベルト１２に沿って画像形成部ＰＹ、ＰＭ、ＰＣ、ＰＫが配置されたタンデム型のフルカラー複合機である。画像形成装置１は、電子写真方式を用いて記録媒体Ｓに画像を形成する電子写真画像形成装置であるが、これに限定されるものではない。画像形成装置１は、インクジェットプリンタであってもよい。記録媒体Ｓは、画像形成装置１により画像が形成される転写材であって、例えば、紙、ＯＨＰシート、布等である。以下、記録媒体ＳをシートＳという。
【００１１】
画像形成部ＰＹは、イエロートナーを用いてイエロー画像を形成する。画像形成部ＰＭは、マゼンタトナーを用いてマゼンタ画像を形成する。画像形成部ＰＣは、シアントナーを用いてシアン画像を形成する。画像形成部ＰＫは、ブラックトナーを用いてブラック画像を形成する。参照符号の添字Ｙ、Ｍ、ＣおよびＫは、それぞれイエロー、マゼンタ、シアンおよびブラックを示す。以下の説明において、特に必要でない場合、参照符号の添字Ｙ、Ｍ、Ｃ、Ｋを省略することが有る。４つの画像形成部Ｐは、現像剤（トナー）の色を除いて同一の構造を有する。
【００１２】
画像形成部Ｐは、感光体としての感光ドラム（像担持体）１６を有する。感光ドラム１６は、矢印Ｒ１で示す方向に回転可能である。感光ドラム１６の周りには、帯電装置１７、光走査装置１３、現像装置１８、一次転写装置１９、およびドラムクリーニング装置２０が配置されている。感光ドラム１６の上方には、無端状の中間転写ベルト（中間転写体）１２が配置されている。
【００１３】
中間転写ベルト１２は、駆動ローラ６２と、２つの従動ローラ６３および６５とに張架されている。中間転写ベルト１２は、画像形成の際に図１の矢印Ｒ２で示す方向に回転する。一次転写装置１９は、中間転写ベルト１２を介して感光ドラム１６に対向して配置されている。一次転写装置１９は、感光ドラム１６上のトナー像を中間転写ベルト１２へ転写させる。二次転写ローラ（二次転写部材）６６は、中間転写ベルト１２を介して従動ローラ６５に対向して配置され、二次転写部Ｔ２を形成する。
【００１４】
画像形成装置１の下部には、シートＳを収容した給送カセット２が配置されている。給送カセット２は、正面側へ引き出し可能に画像形成装置１の本体（以下、装置本体という）３に装着されている。また、装置本体３の側部には、手差しトレイ９が開閉可能に配置されている。シートＳは、手差しトレイ９または給送カセット２から給送ローラ６７により給送される。シートＳは、レジストレーションローラ６８により二次転写ローラ６６へ搬送される。定着装置１４は、シートＳの搬送方向において二次転写ローラ６６の下流側に配置されている。定着装置１４は、縦パス部４に設けられている。シートＳは、縦パス部４内で二次転写ローラ６６から定着装置１４を介して排出ローラ１５へ縦方向上方に搬送される。シートＳの搬送方向において定着装置１４の下流側には、画像が形成されたシートＳを積載する排出トレイ５が設けられている。縦パス部４を通過したシートＳは、排出トレイ５へ排出される。
【００１５】
操作部１１の下方の縦パス部４には、排出ローラ１５を含むシートＳの搬送部、各種センサ、定着装置１４および送風ファンが収納されている。積載部の一例である排出トレイ５は、装置本体３と画像読取部６との間に配置され、装置本体３により画像が形成されたシートＳが積載される。ユーザは、排出トレイ５上のシートＳを正面側から取り出すことができる。
【００１６】
（画像形成プロセス）
次に、画像形成装置１の画像形成プロセスを説明する。４つの画像形成部Ｐにおける画像形成プロセスは同一であるので、イエローの画像形成部ＰＹにおける画像形成プロセスを説明する。マゼンタの画像形成部ＰＭ、シアンの画像形成部ＰＣおよびブラックの画像形成部ＰＫにおける画像形成プロセスの説明は、省略する。
【００１７】
帯電装置１７Ｙは、感光ドラム１６Ｙの表面を均一に帯電する。光走査装置１３は、イエロー成分の画像情報に従って変調された光ビームを、均一に帯電された感光ドラム１６Ｙの表面へ出射し、感光ドラム１６Ｙ上に静電潜像を形成する。現像装置１８Ｙは、イエロートナー（現像剤）により静電潜像を現像してイエロートナー像とする。一次転写装置１９Ｙは、感光ドラム１６Ｙ上のイエロートナー像を中間転写ベルト１２上に一次転写する。一次転写の後に感光ドラム１６Ｙ上に残ったトナーは、ドラムクリーニング装置２０Ｙによって除去され、感光ドラム１６Ｙは、次の画像形成に備える。
【００１８】
同様にして、マゼンタの画像形成部ＰＭにより形成されたマゼンタトナー像は、中間転写ベルト１２上のイエロートナー像の上に精度よく重ねて転写される。以下、シアントナー像およびブラックトナー像が、中間転写ベルト１２上のマゼンタトナー像の上に順次重ねて転写される。その結果、中間転写ベルト１２上に４色のトナー像が重ね合わされる。
【００１９】
給送カセット２または手差しトレイ９から搬送されたシートＳは、レジストレーションローラ６８により中間転写ベルト１２上のトナー像とタイミングを合わせて二次転写ローラ６６へ搬送される。中間転写ベルト１２上に重ね合わされた４色のトナー像は、二次転写ローラ６６により一括してシートＳ上に二次転写される。トナー像が転写されたシートＳは、定着装置１４へ搬送される。定着装置１４は、シートＳを加熱および加圧してトナー像をシートＳに定着させる。画像が形成されたシートＳは、排出ローラ１５により排出トレイ５上へ排出される。
【００２０】
（画像読取部）
装置本体３の上方には、縦パス部４を介して画像読取部（フラットベッドスキャナ）６が配置される。画像読取部６は、手動読取モード（固定読みモード）と自動読取モード（流し読みモード）で動作可能である。手動読取モードにおいて、ユーザは、自動原稿給送装置（ＡＤＦ）７を持ち上げ、読取面６ａに原稿を載置する。画像読取部６は、読取面（ガラス板）６ａ上に載置された原稿の下面の画像を光学的に読み取って画像データへ変換する。自動読取モードにおいて、自動原稿給送装置７は、原稿トレイ８上に積載された原稿束から１枚ずつ原稿を分離して読取面６ａへ搬送する。画像読取部６は、読取面６ｂ上を搬送される原稿の画像を光学的に読み取って画像データへ変換する。
【００２１】
（操作部）
画像形成装置１は、ユーザが情報または命令を入力したり、画像形成装置１を操作したりするための操作部１１が設けられている。操作部１１は、ユーザからの入力操作を受け付ける。操作部１１は、入力すべき情報または命令の項目を表示する入力エリアを表示し、ユーザが入力エリアに触ることにより情報が入力されるタッチパネル（入力手段、表示手段）が設けられている。タッチパネルは、静電容量式タッチパネルである。しかし、タッチパネルは、抵抗膜式（感圧式）タッチパネルであってもよい。タッチパネルは、ユーザからの入力操作に反応する。操作部１１は、画像読取部６と略同じ高さ位置で操作面を上向きにして配置されている。操作部１１は、装置本体３の正面側に画像読取部６に対して隣接して配置されている。操作部１１は、縦パス部４の上方に配置されている。図２に示すように、操作部１１は、画像読取部６の読取面６ａと同じ高さ、または読取面６ａより低い位置（読取面以下の位置）に配置されている。図２において、操作部１１は、読取面６ａよりも低い位置で画像読取部６よりも正面側に配置されている。操作部１１の下方には、排出トレイ５の上流側の縦パス部４の少なくとも一部を覆う縦パス部カバー１０が設けられている。自動読取モードにおいて、ユーザは、自動原稿給送装置７の原稿トレイ８上に原稿を載置する。手動読取モードにおいて、ユーザは、自動原稿給送装置７を後側へ回動させて上方へ開放することで、画像読取部６の読取面６ａにアクスセス可能となる。読取面６ａに原稿を載置する操作のアクセス性を妨げないように、操作部１１の最上部が読取面６ａより低い位置になるように、操作部１１が配置されている。
【００２２】
自動原稿給送装置７の原稿トレイ８（又は画像読取部６の読取面６ａ）に原稿を載置した後、ユーザは、操作部１１により、白黒又はカラーの読取モード、コピー出力サイズ、シートの種類、コピー枚数等の情報を入力する。操作部１１から入力された情報に基づいて、画像読取部６は、原稿の画像を読み取る。そして、給送カセットまたは開放した手差しトレイ９上に積載されたシートＳが給送され、装置本体３でシートＳに画像が形成され、縦パス部４を経由して排出トレイ５へシートＳが排出される。
【００２３】
（通信装置）
次に、図２および図３を用いて、第一の認証装置（以下、第一の通信装置という）２１および第二の認証装置（以下、第二の通信装置という）３１を説明する。図３は、画像形成装置１の正面図である。第一の通信装置２１および第二の通信装置３１は、それぞれ近距離無線通信手段を有する。第一の被認証装置２３は、情報を保持する保持装置である。近距離無線通信（以下、ＮＦＣという）で第一の被認証装置２３と接続可能な第一の通信装置２１は、縦パス部カバー１０の内部に配置されている。縦パス部カバー１０の前面は、略平面で、画像形成装置１の前カバー３０の最前面や画像読取部６の最前面と略同一面またはそれらより手前に位置する。また、縦パス部カバー１０の前面（外観面）の略中央には、第一の通信装置２１へ第一の被認証装置２３を近づける（かざす）ための目印となる丸印の第一のターゲット表示部２２がシルク印刷により形成されている。第一のターゲット表示部２２は、第一の通信装置２１からＮＦＣにより情報を受け取るために第一の被認証装置２３を近づける際のターゲット表示である。第一の被認証装置２３は、第一のターゲット表示部２２へ近づけられる（対向される）と、ＮＦＣで第一の通信装置２１へ接続される。第一のターゲット表示部２２は、画像形成装置１の側面に設けられている。
【００２４】
第一の被認証装置２３は、ＮＦＣ対応モバイル機器である。ＮＦＣ対応モバイル機器は、例えば、ＮＦＣ対応携帯電話、スマートフォン、タブレット端末、タブレットパーソナルコンピュータ、ＮＦＣ対応カメラ、ＮＦＣ対応ビデオカメラおよびＮＦＣ対応ノート型パーソナルコンピュータである。第一の被認証装置２３を第一の通信装置２１へ接続するＮＦＣの通信エリアは、通信距離が数センチからおよそ１メートル程度である。第一の被認証装置２３を第一の通信装置２１へ接続するＮＦＣは、例えば、Ｗｉ−Ｆｉ（登録商標）、Ｂｌｕｅｔｏｏｔｈ（登録商標）である。Ｗｉ−Ｆｉ（登録商標）は、２．４ＧＨｚ帯、５ＧＨｚ帯または６０ＧＨｚ帯を使用して無線通信を行う無線通信規格ＩＥＥＥ８０２．１１に準拠した装置間の相互接続である。Ｂｌｕｅｔｏｏｔｈ（登録商標）は、２．４ＧＨｚ帯を使用して無線通信を行う無線通信規格ＩＥＥＥ８０２．１５．１に準拠した装置間の相互接続である。
【００２５】
例えば、第一の被認証装置２３にアプリケーションソフト（以下、アプリという）をインストールし、アプリを起動する。第一の被認証装置２３を第一のターゲット表示部２２へ向けて矢印Ａ方向に操作することにより、第一の被認証装置２３は、第一の通信装置２１とＮＦＣで接続される。第一の被認証装置２３を第一のターゲット表示部２２へ向けて操作する方向は、矢印Ａ方向に限られるものではなく、左から右へ向かう方向、右から左へ向かう方向、または、下から上へ向かう方向、であってもよい。第一の被認証装置２３を第一のターゲット表示部２２へ向けて操作する方向は、ユーザが操作部１１を上から下へ向かって操作する方向と異なる。第一の被認証装置２３の第一のターゲット表示部２２へのアクセス方向がユーザの操作部１１へのアクセス方向と異なるので、第一の被認証装置２３のアクセスによる画像形成装置１の誤操作を防止できる。
【００２６】
図３に示すように、第一の通信装置２１の第一のターゲット表示部２２は、画像形成装置１の最前面にある。ユーザは、第一の被認証装置２３を第一のターゲット表示部２２へ向けて矢印Ａ方向に操作する際、画像形成装置１の前面には操作の妨げとなる障害物がなく、第一の被認証装置２３を第一の通信装置２１により確実に認証させることができる。第一の被認証装置２３が例えば対角約２５４ｍｍ（１０インチ）の画面サイズを有するタブレット端末である場合、第一の被認証装置２３の投影面積は、比較的大きい。このようなタブレット端末を第一のターゲット表示部２２へ向けて矢印Ａ方向に操作する場合であっても、第一のターゲット表示部２２が形成されている縦パス部カバー１０の前に比較的広い空間が確保されているので、操作性が向上される。本実施例によれば、比較的大きい面積を有する第一の被認証装置２３を操作する場合であっても、操作性がよく、第一の通信装置２１が確実に第一の被認証装置２３を認証することができる。
【００２７】
図２に示すように、ＮＦＣで第二の被認証装置３３と接続可能な第二の通信装置３１は、縦パス部カバー１０の上方に配置されている。第二の被認証装置３３は、情報を保持する保持装置である。第二の通信装置３１は、ユーザ認証のために、ＮＦＣにより第二の被認証装置３３から情報を取得する。第二の通信装置３１は、操作部１１と並んで配置されている。具体的には、操作部１１の右横で、縦パス部カバー１０の上部に設けられた右上カバー２０１の内部に配置されている。右上カバー２０１の上面略中央には、第二の通信装置３１へ第二の被認証装置３３を近づける（かざす）ための目印となる丸印の第二のターゲット表示部３２がシルク印刷により形成されている。第二のターゲット表示部３２は、第一のターゲット表示部２２と異なる位置に設けられている。第二のターゲット表示部３２は、操作部１１のタッチパネルに並んで配置されている。本実施例の第二のターゲット表示部３２は、操作部１１に対して画像形成装置１の前後方向に対して左右方向に隣接して配置されている。図２に示すように、第二のターゲット表示部３２は、操作部１１に対して手差しトレイ９側に隣接する。そして、第二の被認証装置３３を画像形成装置１の上方から、第二のターゲット表示部３２に向けて矢印Ｂ方向に操作する。第二の被認証装置３３は、第二のターゲット表示部３２へ近づけられる（対向される）と、ＮＦＣで第二の通信装置３１と無線通信を行う。
【００２８】
第二の被認証装置３３は、ＮＦＣ対応ＩＣカードである。ＮＦＣ対応ＩＣカードは、国際規格ＩＳＯ／ＩＥＣ１８０９２または国際規格ＩＳＯ／ＩＥＣ２１４８１に準拠して、１３．５６ＭＨｚを中心とする周波数帯を使用して十数ｃｍの至近距離で無線通信を行う。ＮＦＣ対応ＩＣカードは、例えば、Ｆｅｌｉｃａ（登録商標）対応ＩＣカード、ＴｙｐｅＡ対応ＩＣカードおよびＴｙｐｅＢ対応ＩＣカードである。第二の被認証装置３３は、Ｆｅｌｉｃａ対応ＩＣカード、ＴｙｐｅＡ対応ＩＣカードおよびＴｙｐｅＢ対応ＩＣカードの少なくとも一つとＮＦＣで通信可能である。Ｆｅｌｉｃａ（登録商標）対応ＩＣカードは、日本工業規格ＪＩＳ Ｘ ６３１９−４に準拠した高速処理用ＩＣカードである。ＴｙｐｅＡ対応ＩＣカードは、国際規格ＩＳＯ／ＩＥＣ１４４４３Ａに準拠した非接触ＩＣカードである。ＴｙｐｅＢ対応ＩＣカードは、国際規格ＩＳＯ／ＩＥＣ１４４４３Ｂに準拠した非接触ＩＣカードである。ユーザが、第二の被認証装置３３を第二のターゲット表示部３２へ向けて矢印Ｂで示す方向に操作することにより、第二の被認証装置３３は、第二の通信装置３１とＮＦＣで無線通信を行う。
【００２９】
ＮＦＣ対応ＩＣカードは、例えば、縦の長さが約８５ｍｍ、横の長さが約５５ｍｍの寸法の薄板である。ＮＦＣ対応ＩＣカードは、ＮＦＣ対応モバイル機器に比べて寸法が小さい。従って、ユーザが第二の被認証装置３３を第二のターゲット表示部３２へ向けて矢印Ｂで示す方向に操作しても、第二の被認証装置３３自体や第二の被認証装置３３を保持する指が操作部１１のタッチパネルに接触したり、近接したりすることがすくない。第二の通信装置３１が操作部１１のタッチパネルに並んで設けられていても、第二の被認証装置３３の操作による画像形成装置１の誤操作の発生は低減される。また、ＩＣカードは、ユーザの首に掛けるひも付きのホルダーに保持されたり、リール付きのホルダーに保持されたりすることが多い。第二のターゲット表示部３２を画像形成装置１の側面に設けると、紐の長さやリールの長さが短いホルダーを使用するユーザは、ＩＣカードを第二のターゲット表示部３２に対面させるために、屈む動作をしなければならず、ユーザビリティの面で好ましくない。そのため、本実施例では、第二のターゲット表示部３２を第一のターゲット表示部２２よりも鉛直方向上側に設けている。
【００３０】
第一の通信装置２１は、第二の通信装置３１の近傍に配置されている。よって、第一の通信装置２１の配線と第二の通信装置３１の配線をまとめて、画像形成装置１の後方に配置された制御基板へ接続することができる。
【００３１】
第一の通信装置２１が配置されている位置は、第二の通信装置３１が配置されている位置と異なる。第一の通信装置２１が配置されている位置は、第二の通信装置３１が配置されている位置より操作部１１から離れている。本実施例によれば、第一の被認証装置２３を第一の通信装置２１にかざすときに画像形成装置１の誤操作が生じることを防止できる。
【実施例２】
【００３２】
次に、図４を参照して、実施例２を説明する。図４は、実施例２の画像形成装置４１の右側面図である。実施例２において、実施例１と同様の構造には同様の参照符号を付して説明を省略する。実施例２の画像形成装置４１は、実施例１の画像形成装置１と略同様の構造を有するので説明を省略する。実施例２の第一の通信装置１２１は、実施例１の第一の通信装置２１と同じであるので説明を省略する。しかし、実施例２の第一の通信装置１２１が配置されている位置は、実施例１の第一の通信装置２１が配置されている位置と異なる。以下、実施例２の第一の通信装置１２１が配置されている位置を主に説明する。
【００３３】
（通信装置）
実施例１の第一のターゲット表示部２２は、画像形成装置１の最前面となる縦パス部カバー１０に形成されている。これに対し、実施例２の第一のターゲット表示部１２２は、画像形成装置４１の右側面の最外面に形成されている。具体的には、第一の通信装置１２１は、右前縦カバー１０１の内部に配置されている。右前縦カバー１０１の右側面は、略平面で、画像形成装置４１の他の右側面のカバー類と略同一面か、右側面の最外側に位置する。第二の通信装置３１は、実施例１と同様に、操作部１１の右横で、右上カバー２０１の内部に配置されている。
【００３４】
手差しトレイ９は、画像形成装置４１の右側面に開閉可能に取り付けられている。画像形成装置４１は、シートＳを下から上へ搬送する縦パス方式であるので、画像形成装置４１の右側面に比較的広い平面部分を設けることがきる。従って、第一の通信装置１２１を収納する空間を画像形成装置４１の右側面の内側に設ける自由度および第一のターゲット表示部１２２を画像形成装置４１の右側面上に配置する自由度がある。また、画像形成装置４１の右側面に第一のターゲット表示部１２２を設けることにより、第一の被認証装置２３の第一のターゲット表示部１２２への操作性も良好である。操作部１１は、画像形成装置４１の正面に配置されているので、第一のターゲット表示部１２２は、画像形成装置４１の右側面であって、且つ、正面により近い前方（手前側）に配置されている。第一のターゲット表示部１２２が操作部１１の近くに配置されているので、ユーザの画像形成装置４１への操作性が向上される。
【００３５】
例えば、第一の被認証装置２３にインストールされたアプリを起動し、第一の被認証装置２３を第一のターゲット表示部１２２へ向けて矢印Ｃ方向に操作することにより、第一の被認証装置２３は、第一の通信装置１２１とＮＦＣで接続される。第一の被認証装置２３を第一のターゲット表示部１２２へ向けて操作する方向は、矢印Ｃ方向に限られるものではなく、右前から右奥へ向かう方向、右奥から右前へ向かう方向、右下から右上へ向かう方向、または、右上から左下へ向かう方向であってもよい。第一の被認証装置２３を第一のターゲット表示部１２２へ向けて操作する方向は、ユーザが操作部１１を上から下へ向かって操作する方向と異なる。第一の被認証装置２３の第一のターゲット表示部１２２へのアクセス方向がユーザの操作部１１へのアクセス方向と異なるので、第一の被認証装置２３自体が操作部１１に接触することがない。また、第一の被認証装置２３を保持する指が操作部１１に接触したり、近接したりすることもない。よって、第一の被認証装置２３の第一のターゲット表示部１２２へのアクセスによる画像形成装置４１の誤操作を防止できる。
【００３６】
第一の通信装置１２１が配置されている位置は、第二の通信装置３１が配置されている位置と異なる。第一の通信装置１２１が配置されている位置は、第二の通信装置３１が配置されている位置より操作部１１から離れている。本実施例によれば、第一の被認証装置２３を第一の通信装置１２１にかざすときに画像形成装置４１の誤操作が生じることを防止できる。
【実施例３】
【００３７】
次に、図５を参照して、実施例３を説明する。図５は、実施例３の画像形成装置５１の左側面である。実施例３において、実施例１と同様の構造には同様の参照符号を付して説明を省略する。実施例３の画像形成装置５１は、実施例１の画像形成装置１と略同様の構造を有するので説明を省略する。実施例３の第一の通信装置２２１は、実施例１の第一の通信装置２１と同じであるので説明を省略する。しかし、実施例３の第一の通信装置２２１が配置されている位置は、実施例１の第一の通信装置２１が配置されている位置と異なる。以下、実施例３の第一の通信装置２２１が配置されている位置を主に説明する。
【００３８】
（通信装置）
実施例１の第一のターゲット表示部２２は、画像形成装置１の最前面となる縦パス部カバー１０に形成されている。実施例２の第一のターゲット表示部１２２は、画像形成装置４１の右側面の最外面となる右前縦カバー１０１に形成されている。これに対し、実施例３の第一のターゲット表示部２２２は、画像形成装置５１の左側面の最外面に形成されている。具体的には、第一の通信装置２２１は、左カバー１０２の内部に配置されている。左カバー１０２は、略平面で、画像形成装置５１の他の左側面のカバー類と略同一面か、左側面の最外側に位置する。第二の通信装置３１（図５で不図示）は、実施例１と同様に、操作部１１の右横で、右上カバー２０１の内部に配置されている。
【００３９】
左カバー１０２は、画像形成装置５１の左側に固定されている。左カバー１０２は、画像形成装置５１の左側面において大きな面積を占めている。従って、第一の通信装置２２１を収納する空間を画像形成装置５１の左側面の内側に設ける自由度および第一のターゲット表示部２２２を画像形成装置５１の左側面上に配置する自由度がある。また、画像形成装置５１の左側面に第一のターゲット表示部２２２を設けることにより、第一の被認証装置２３の第一のターゲット表示部２２２への操作性も良好である。操作部１１は、画像形成装置５１の正面に配置されているので、第一のターゲット表示部２２２は、画像形成装置５１の左側面であって、且つ、正面により近い前方（手前側）に配置されている。第一のターゲット表示部２２２が操作部１１の近くに配置されているので、ユーザの画像形成装置５１への操作性が向上される。
【００４０】
例えば、第一の被認証装置２３にインストールされたアプリを起動し、第一の被認証装置２３を第一のターゲット表示部２２２へ向けて矢印Ｄ方向に操作することにより、第一の被認証装置２３は、第一の通信装置２２１とＮＦＣで接続される。第一の被認証装置２３を第一のターゲット表示部２２２へ向けて操作する方向は、矢印Ｄ方向に限られるものではなく、左前から左奥へ向かう方向、左奥から左前へ向かう方向、左下から左上へ向かう方向、または、左上から左下へ向かう方向であってもよい。第一の被認証装置２３を第一のターゲット表示部２２２へ向けて操作する方向は、ユーザが操作部１１を上から下へ向かって操作する方向と異なる。第一の被認証装置２３の第一のターゲット表示部２２２へのアクセス方向がユーザの操作部１１へのアクセス方向と異なるので、第一の被認証装置２３自体が操作部１１に接触することがない。また、第一の被認証装置２３を保持する指が操作部１１に接触したり、近接したりすることもない。よって、第一の被認証装置２３の第一のターゲット表示部２２２へのアクセスによる画像形成装置５１の誤操作を防止できる。
【００４１】
第一の通信装置２２１が配置されている位置は、第二の通信装置３１が配置されている位置と異なる。第一の通信装置２２１が配置されている位置は、第二の通信装置３１が配置されている位置より操作部１１から離れている。本実施例によれば、第一の被認証装置２３を第一の通信装置２２１にかざすときに画像形成装置５１の誤操作が生じることを防止できる。
【００４２】
実施例１から実施例３の操作部１１は、図１〜図５に示すように、画像形成装置１、４１、５１の大きさに対して比較的小さい。これに対し、操作性の向上の観点から、操作部１１の表示入力部を大サイズ化することがある。これに伴い、操作部１１自体も大きくなるが、第一のターゲット表示部２２、１２２、２２２は、操作部１１を除く装置本体３の前面、右側面、左側面の最外面に位置する。従って、画像形成装置１、４１、５１の外観品位を維持しつつ、第一の被認証装置２３の第一のターゲット表示部２２、１２２、２２２への操作性を向上し、第一の通信装置２１、１２１、２２１による第一の被認証装置２３の認証を確実に行うことができる。
【００４３】
また、実施例１から実施例３において、第一のターゲット表示部２２、１２２、２２２が丸印で描かれているが、イラスト、記号、文字等、第一の被認証装置２３のターゲット部であることを使用者が認識できる範囲でどんな表記を採用してもよい。
【００４４】
排出トレイ５上にオプションとしての胴内フィニッシャ（不図示）を設けてもよい。または、排出トレイ５上にオプションとしてのバッファパスユニット（不図示）を設けて、バッファパスユニット（不図示）が画像形成装置１、４１、５１の外部に取付けられる外付けフィニッシャへシートＳを受け渡ししてもよい。その場合、第一のターゲット表示部２２、１２２、２２２を、オプション類を含む画像形成装置１、４１、５１の全方向側面のうち少なくとも１つの側面の最外面に配置する。第一の被認証装置２３を第一の通信装置２１、１２１、２２１の第一のターゲット表示部２２へ向けて操作する際、オプション類がその操作性を妨げることなく、第一の被認証装置２３を第一の通信装置２１、１２１、２２１に確実に認証させることができる。
【００４５】
上記実施例によれば、近距離無線通信可能な通信装置のターゲット表示部は、画像形成装置の全方向側面のうち少なくとも１つの側面に配置される。被認証装置を画像形成装置の側面から通信装置のターゲット表示部へ向けて操作する際に、画像形成装置からの形状的な出っ張り等の障害物により操作が邪魔されずに、操作性の向上が図られる。また、操作部へのアクセス方向を画像形成装置の略上方からとした場合、被認証装置は、操作部へのアクセス方向とは異なる方向に、ターゲット表示部へアクセスできるので、操作部への誤入力が防止される。
【００４６】
画像形成装置の操作性向上のために操作部の表示部が大サイズとなり操作部自体が大きくなったとしても、操作部を除く装置本体の少なくとも１つの側面の最外面にターゲット表示部が配置される。これにより、ターゲット表示部が操作部を除いた全体外観に影響することがない。
【００４７】
操作部を画像形成装置の正面に配置し、操作部に向かって左側面の前方（手前側）と右側面（手前側）の前方の少なくとも一方にターゲット表示部が設けられる。これにより、ターゲット表示部は、操作部を操作するユーザの手の届く範囲内に設けられるので、画像形成装置全体としての操作性が向上される。
【００４８】
上記実施例によれば、モバイル機器を通信装置にかざすときに誤操作が生じることを防止することができる。
【符号の説明】
【００４９】
１、４１、５１・・・画像形成装置
１１・・・操作部
２１・・・第一の通信装置
２２・・・第一のターゲット表示部
２３・・・第一の被認証装置
３１・・・第二の通信装置
３２・・・第二のターゲット表示部
３３・・・第二の被認証装置
ＰＹ、ＰＭ、ＰＣ、ＰＫ・・・画像形成部
【図１】
2018170726.tif 000003
【図２】
2018170726.tif 000004
【図３】
2018170726.tif 000005
【図４】
2018170726.tif 000006
【図５】
2018170726.tif 000007